(57)【要約】      （修正有）【課題】胸元を然りげなく手軽に開き得るように工夫した新規構造の授乳するに適した便利なワンピースを提供する。【解決手段】スカート部１の前身頃２上端に後身頃を欠くキャミソール部３の下端を連ねて一体的に縫着すると共に当該キャミソール部３における肩ひも５の上端をタンクトップ部４における肩部内裏に縫着固定し、且つ、当該タンクトップ部４における後身頃の下端を前記スカート部１における後身頃の上端に連ねて一体的に縫着するように構成した。【選択図】図２
0003177230.tif 000002
【実用新案登録請求の範囲】
【請求項１】
スカート部１の前身頃２上端に後身頃を欠くキャミソール部３の下端を連ねて一体的に縫着すると共に当該キャミソール部３における肩ひも５の上端をタンクトップ部４における肩部内裏に縫着固定し、且つ、当該タンクトップ部４における後身頃７の下端を前記スカート部１における後身頃８の上端に連ねて一体的に縫着するように構成したことを特徴とする授乳に適したワンピース。
【請求項２】
サイドに切り替えを施し、タンクトップ部４における前身頃６のみが重ね着の状態を呈するよう構成してなる請求項１に記載の授乳に適したワンピース。
【請求項３】
キャミソール部３とタンクトップ部４とを伸縮性ある素材でもって成形してなる請求項１又は請求項２に記載の授乳に適したワンピース。
【考案の詳細な説明】
【技術分野】
【０００１】
本考案は、出産期等の女性が授乳期間中から産前、産後を通して普通のおしゃれなワンピースとしても着用できる授乳に適したワンピースに関するものである。
【背景技術】
【０００２】
従来、授乳期間中の女性にとっては、授乳に際して胸元（授乳口）を開かなければならないが、胸元を開きやすいようにあらかじめ配慮された授乳に適した衣服は一般市場ではほとんど出回っておらないと共に既に提案されているものは、胸元を開いた状態が周囲の視線を引いて目立ち易くおしゃれに着こなすには不向きなデザインのものであった。
【０００３】
従って、当該女性が外出時にあっての授乳に際しては、何かと苦労を強いられるという問題点があった。
【先行技術文献】
【特許文献】
【０００４】
【特許文献１】特開２０１１−２５２２６３
【考案の概要】
【考案が解決しようとする課題】
【０００５】
本考案は、如上の問題点に鑑みてこれを女性の視点から改善すべく案出したものであって、胸元を然りげなく手軽に開き得るように工夫した新規構造の授乳するに適した便利にしておしゃれなワンピースを提供することを目的とするものである。
【課題を解決するための手段】
【０００６】
本考案に係る請求項１の授乳に適したワンピースは、スカート部１の前身頃２上端に後身頃を欠くキャミソール部３の下端を連ねて一体的に縫着すると共に当該キャミソール部３における肩ひも５の上端をタンクトップ部４における肩部内裏に縫着固定し、且つ、当該タンクトップ部４における後身頃７の下端を前記スカート部１における後身頃８の上端に連ねて一体的に縫着するように構成したことを最も主要な特徴とするものである。
【０００７】
また、本考案に係る請求項２の授乳に適したワンピースは、サイドに切り替えを施し、タンクトップ部４における前身頃６のみが重ね着の状態を呈するよう構成することをも特徴とするものであり、かつ、本考案に係る請求項３の授乳に適したワンピースは、キャミソール部３とタンクトップ部４とを伸縮性ある素材でもって成形することをも特徴とするものである。
【考案の効果】
【０００８】
本考案に係る請求項１の授乳に適したワンピースは、必要時には自らの手指を用いてタンクトップ部の下端を上方向に引き上げた後に、キャミソール部の上端を引き下げることによってきわめて手軽に胸元を開け、これにより迅速に授乳することができるものである。
【０００９】
また、本考案に係る請求項１の授乳に適したワンピースは、まるで一見普通のおしゃれなレイヤード風ワンピースの外観を呈するものであることから、授乳期間中にあっても授乳の必要ない時等、産前、産後を通して普通のおしゃれなワンピースとして汎用的に着用することができる等の実用的利点を有する。
【００１０】
更に、本考案に係る請求項２の授乳に適するワンピースは、タンクトップ部４における前身頃６の下端の上方への引き上げを、きわめて円滑、迅速に行うことができる利点を有する。
【００１１】
更にまた、本考案に係る請求項３の授乳に適するワンピースは、胸元を開く作業をより一層円滑、迅速に行うことができ、きわめて簡便に授乳することができる利点を有する。。
【図面の簡単な説明】
【００１２】
【図１】図１は、本考案授乳に適するワンピースの正面図である。
【図２】図２は、本考案授乳に適するワンピースの部分切欠状態の正面図である。
【図３】図３は、本考案授乳に適するワンピースの側面図である。
【図４】図４は、本考案授乳に適するワンピースの授乳時において先ずタンクトップ部の下端を引き上げた状態の正面図である。
【図５】図５は、本考案授乳に適するワンピースの授乳時において先ずタンクトップ部の下端の引き上げた前図状態に引続いてキャミソール部の上端を引き下げて胸元を開いた状態の正面図である。
【考案を実施するための形態】
【００１３】
本考案は、キャミソールワンピースにタンクトップを有機的に組み合わせてレイヤード風ワンピースに構成することによって、必要時には迅速、手軽に胸元を開けて授乳することができ、授乳の不必要時には普通のワンピースとして着用し得ることを実現したものである。
【実施例１】
【００１４】
以下に、本考案を図示する実施例に基づき説明すると、先ず、図１〜図３に示すように、下半身のスカート部１における前身頃２の上端に後身頃を欠くキャミソール部３の下端を連なるように一体的に縫着する。
【００１５】
次に、上記キャミソール部３上にタンクトップ部４をレイヤード風に配設して、キャミソール部３における肩ひも５の上端をタンクトップ部４における肩部内裏に縫着固定する。
【００１６】
ここにおいて、タンクトップ部４における前身頃６は単にキャミソール部３の上に重ね着の状態にて、当該タンクトップ部４における前身頃６の下端は垂下しているに過ぎないことから、当該下端を図４に示すように上方に簡単に引き上げることができる。
【００１７】
更に、引き続いて図５に示すようにキャミソール部３を下方に押し下げれば、胸元が開いて授乳することができるようになる。
【００１８】
そして、図３に明示するようにタンクトップ部４における後身頃７の下端をスカート部１における後身頃８の上端に連なるように一体的に縫着する。
【００１９】
ここにおいて、同じく図３に明示されているようにサイドに切り替えが施され、タンクトップ部４における前身頃６のみが重ね着の状態を呈するよう構成する。かかる構成により、前記したタンクトップ部４における前身頃６の下端の上方への引き上げは、きわめて円滑、迅速に行うことができる。
【００２０】
更には、キャミソール部３とタンクトップ部４との各々を伸縮性ある素材でもって成形すれば、胸元を開く作業をより一層円滑、迅速に行うことができ、きわめて簡便に授乳することができる。
【００２１】
本考案の授乳に適したワンピースは、上述の如く構成されるので、必要時には授乳がきわめて行いやすいと共に授乳を必要としない場合においてもそのままおしゃれなレイヤード風ワンピースとして広汎に着用でき、更には、ジャケット、カーデガン等を羽織る等してコーディネイトを楽しむことをもでき、利便な実用的効果を奏する。
【符号の説明】
【００２２】
１    スカート部
２    スカート部における前身頃
３    キャミソール部
４    タンクトップ部）
５    キャミソール部における肩ひも
６    タンクトップ部における前身頃
７    タンクトップ部における後身頃
８    スカート部における後身頃
【図１】
0003177230.tif 000003
【図２】
0003177230.tif 000004
【図３】
0003177230.tif 000005
【図４】
0003177230.tif 000006
【図５】
0003177230.tif 000007